(57)【要約】【課題】簡単な構成によって医療機器の状態を報知することができる医療機器システム及び報知装置を提供する。【解決手段】医療機器システム１０Ａは、生体の体表上に留置される検出装置１２と、検出装置１２から出力される信号又は電力に基づき報知を行う報知装置１６Ａと、報知装置１６Ａを検出装置１２に固定する共に、報知装置１６Ａを体表上に固定するカバー１８と、を備える。これにより医療機器システム１０Ａは、必要に応じて検出装置１２の近傍位置に報知装置１６Ａを固定することが可能となり、報知装置１６Ａによって検出装置１２の状態または生体情報の異常を報知することができる。【選択図】図１
2019154711.tif 000002
【特許請求の範囲】
【請求項１】
生体の体表上に留置される医療機器と、
前記医療機器から出力される信号又は電力に基づき報知を行う報知装置と、
前記報知装置を前記医療機器に固定する固定具と、を備える
ことを特徴とする医療機器システム。
【請求項２】
請求項１記載の医療機器システムにおいて、
前記報知装置は、前記固定具としてのカバーに貼り付けられると共に、前記医療機器に取り付けられることで前記体表に固定される
ことを特徴とする医療機器システム。
【請求項３】
請求項１又は２記載の医療機器システムにおいて、
前記医療機器は、前記生体の生体情報を検出する検出部と、前記生体情報または前記医療機器に関わる異常の発生を取得する制御部と、を有し、
前記制御部は、前記医療機器の近傍位置に前記報知装置が配置された状態で、前記異常の発生情報に基づき前記報知装置の報知を実施させる
ことを特徴とする医療機器システム。
【請求項４】
請求項３記載の医療機器システムにおいて、
前記医療機器との間で生体情報を無線通信する情報処理装置を更に有し、
前記制御部は、前記医療機器の近傍位置への前記報知装置の配置を監視し、前記報知装置の配置に伴い、前記報知装置が配置されたことを示す情報を前記情報処理装置に送信する
ことを特徴とする医療機器システム。
【請求項５】
請求項４記載の医療機器システムにおいて、
前記情報処理装置は、前記報知装置の非取付状態で前記異常の発生情報を報知する一方で、前記医療機器の近傍位置への前記報知装置の配置を監視し、前記報知装置の取付状態で、前記異常の発生情報の報知を停止する
ことを特徴とする医療機器システム。
【請求項６】
請求項１〜５のいずれか１項に記載の医療機器システムにおいて、
前記医療機器は、内部の電気部品に電力を供給するバッテリを有し、
前記報知装置は、前記体表に留置された状態で前記バッテリから電力が供給されて報知可能となる
ことを特徴とする医療機器システム。
【請求項７】
請求項６記載の医療機器システムにおいて、
前記医療機器及び前記報知装置は、前記バッテリの電力を無線で前記報知装置に給電する無線給電構造を有する
ことを特徴とする医療機器システム。
【請求項８】
請求項１〜７のいずれか１項に記載の医療機器システムにおいて、
前記報知装置は、生体情報または前記医療機器に関わる異常の発生情報を警告音で報知するブザーを有する
ことを特徴とする医療機器システム。
【請求項９】
請求項１〜７のいずれか１項に記載の医療機器システムにおいて、
前記報知装置は、生体情報または前記医療機器に関わる異常の発生情報を振動で報知するバイブレータを有する
ことを特徴とする医療機器システム。
【請求項１０】
請求項１〜７のいずれか１項に記載の医療機器システムにおいて、
前記報知装置は、生体情報または前記医療機器に関わる異常の発生情報を表示するモニタを有する
ことを特徴とする医療機器システム。
【請求項１１】
生体の体表上に留置される医療機器から出力される信号又は電力に基づき報知を行う報知装置であって、
前記報知装置は、前記医療機器を覆って前記体表に貼り付けられる固定具に固定される被固定部を有し、前記被固定部が前記固定具に固定された状態で、前記信号を取得する又は前記電力を供給されることで前記報知を行う
ことを特徴とする報知装置。
【発明の詳細な説明】
【技術分野】
【０００１】
本発明は、生体の体表に留置される医療機器の状態を報知する医療機器システム及び報知装置に関する。
【背景技術】
【０００２】
例えば、特許文献１には、生体の体表に留置される医療機器（検出装置）により、生体情報を検出し、外部のレシーバに生体情報を送信する医療機器システムが開示されている。レシーバは、受信した生体情報を適宜処理して表示し、また医療機器から異常情報等を受信した場合や通信不良が起こった場合には、レシーバを介して医療機器のユーザに警報を報知する。
【先行技術文献】
【特許文献】
【０００３】
【特許文献１】特許第４８７００７５号公報
【発明の概要】
【発明が解決しようとする課題】
【０００４】
ところで、上記のようなレシーバは、通常時にはユーザに携帯されているものの、例えば、ユーザがスポーツを行う際やユーザが入浴する際には、非携帯となる。つまり、レシーバは医療機器から離れた場所に置かれることがある。
【０００５】
従って、医療機器からレシーバが離れている間は、ユーザが生体情報を確認することができない。また、医療機器に異常やアラートが発生した場合は、レシーバから報知される警告にユーザが気付かない可能性がある。
【０００６】
本発明は、上記の課題を解決するためになされたものであって、簡単な構成によって医療機器の状態をユーザに報知することができる医療機器システム及び報知装置を提供することを目的とする。
【課題を解決するための手段】
【０００７】
前記の目的を達成するために、本発明に係る医療機器システムは、生体の体表上に留置される医療機器と、前記医療機器から出力される信号又は電力に基づき報知を行う報知装置と、前記報知装置を前記医療機器に固定する固定具と、を備えることを特徴とする。
【０００８】
この場合、前記報知装置は、前記固定具としてのカバーに貼り付けられると共に、前記医療機器に取り付けられることで前記体表に固定されることが好ましい。
【０００９】
また、前記医療機器は、前記生体の生体情報を検出する検出部と、前記生体情報及び前記医療機器に関わる異常の発生情報を取得する制御部と、を有し、前記制御部は、前記医療機器の近傍位置に前記報知装置が配置された状態で、前記異常の発生情報に基づき前記報知装置の報知を実施させるとよい。
【００１０】
上記構成に加えて、前記医療機器との間で生体情報を無線通信する情報処理装置を更に有し、前記制御部は、前記医療機器の近傍位置への前記報知装置の配置を監視し、前記報知装置の配置に伴い、前記報知装置が配置されたことを示す情報を前記情報処理装置に送信するとよい。
【００１１】
そして、前記情報処理装置は、前記報知装置の非取付状態で前記異常の発生情報を報知する一方で、前記医療機器の近傍位置への前記報知装置の配置を監視し、前記報知装置の取付状態で、前記異常の発生情報の報知を停止するとよい。
【００１２】
さらに、前記医療機器は、内部の電気部品に電力を供給するバッテリを有し、前記報知装置は、前記体表に留置された状態で前記バッテリから電力が供給されて報知可能となることが好ましい。
【００１３】
そして、前記医療機器及び前記報知装置は、前記バッテリの電力を無線で前記報知装置に給電する無線給電構造を有するとよい。
【００１４】
例えば、前記報知装置は、生体情報または前記医療機器に関わる異常の発生情報を警告音で報知するブザーを有することが好ましい。
【００１５】
また例えば、前記報知装置は、生体情報または前記医療機器に関わる異常の発生情報を振動で報知するバイブレータを有していてもよい。
【００１６】
或いは、前記報知装置は、生体情報または前記医療機器に関わる異常の発生情報を表示するモニタを有していてもよい。
【００１７】
前記の目的を達成するために、本発明は、生体の体表上に留置される医療機器から出力される信号又は電力に基づき報知を行う報知装置であって、前記報知装置は、前記医療機器を覆って前記体表に貼り付けられる固定具に固定される被固定部を有し、前記被固定部が前記固定具に固定された状態で、前記信号を取得する又は前記電力を供給されることで前記報知を行うことを特徴とする。
【発明の効果】
【００１８】
本発明によれば、医療機器システム及び報知装置は、ユーザの必要に応じて医療機器の近傍位置に報知装置を固定することが可能であり、報知装置によって医療機器の状態を報知することができる。例えば、医療機器と通信する情報処理装置が医療機器から離れた位置にあっても、報知装置は、生体情報の異常を検知した場合や外部との間で通信不良が起こった場合に報知を行うことで、異常の発生をユーザに認識させることができる。特に、医療機器システムは、カバーを用いることで、報知装置を体表に簡単に留置することが可能である。また、医療機器システムは、通常時に報知装置を非取付状態としていることで、医療機器の軽量化及び長寿命化が図られ、留置状態を良好に維持して外部の情報処理装置に生体情報等の信号を送信することができる。
【図面の簡単な説明】
【００１９】
【図１】本発明の第１実施形態に係る医療機器システムの全体構成を示す斜視図である。
【図２】医療機器システムの構成を示すブロック図である。
【図３】図３Ａは、報知装置の構成を示す側面断面図である。図３Ｂは、図３ＡのＩＩＩＢ−ＩＩＩＢ線の断面図である。
【図４】図４Ａは、報知装置を検出装置に配置する手順を示す第１側面断面図である。図４Ｂは、図４Ａに続く手順を示す第２側面断面図である。
【図５】医療機器システムの機能部を示すブロック図である。
【図６】図６Ａは、検出装置に報知装置を取り付けた場合のグルコース値異常の報知の手順を示すフローチャートである。図６Ｂは、通信異常の報知の手順を示すフローチャートである。
【図７】図７Ａは、第２実施形態に係る医療機器システムの報知装置を検出装置に配置する手順を示す第１側面断面図である。図７Ｂは、図７Ａに続く手順を示す第２側面断面図である。
【図８】図８Ａは、第３実施形態に係る医療機器システムの報知装置を検出装置に配置する手順を示す第１側面断面図である。図８Ｂは、図８Ａに続く手順を示す第２側面断面図である。
【図９】図９Ａは、第４実施形態に係る医療機器システムの報知装置を示す側面断面図である。図９Ｂは、第５実施形態に係る医療機器システムの報知装置を示す側面断面図である。
【発明を実施するための形態】
【００２０】
以下、本発明について好適な実施形態を挙げ、添付の図面を参照して詳細に説明する。
【００２１】
〔第１実施形態〕
本発明の第１実施形態に係る医療機器システム１０Ａは、図１に示すように、患者であるユーザ（生体）の体表に留置される検出装置１２（医療機器）を有し、検出装置１２によりユーザの生体情報を検出する。検出装置１２により検出された生体情報は、通常時に、ユーザが携帯する情報処理装置１４に送信される。情報処理装置１４は、送信された生体情報を記憶すると共に、ユーザの操作下に該生体情報を適宜の形式でユーザに提供する。
【００２２】
医療機器システム１０Ａが取り扱う生体情報は、特に限定されず、例えば、グルコース値、血糖値、ケトン体、血圧、心拍数、体温、心電図、脳波、呼吸状態、血酸素飽和度等があげられる。本実施形態では、生体情報としてユーザのグルコース値を得る検出装置１２について代表的に説明する。
【００２３】
すなわち、医療機器システム１０Ａは、体表にセンサを留置して所定期間毎にユーザの間質液中のグルコース値を検出するＣＧＭ（Continuous Glucose Monitoring）用のシステムに構成されている。ＣＧＭ用のシステムは、ユーザの間質液のグルコース値の変動を監視することで、例えば、糖尿病の治療において、医師等が個々の患者の状態に合わせた方針を採ることを可能とする。また、医療機器システム１０Ａは、図示しない薬剤投与装置と連動することで、検出装置１２が検出したグルコース値に基づきインスリン等の薬剤を自動で投与する構成となっていてもよい。
【００２４】
この種の医療機器システム１０Ａは、ユーザがスポーツや入浴等を行う際に、通常時に比べて情報処理装置１４を検出装置１２から離れた箇所に置くことになるため、検出装置１２が異常等を検知してもユーザが気づき難くなる。そのため本実施形態に係る医療機器システム１０Ａは、報知装置１６Ａと、報知装置１６Ａを固定する固定具としてのカバー１８とを有し、ユーザが必要に応じて報知装置１６Ａを体表に設置することで、検出装置１２の状態を報知するように構成している。以下、この医療機器システム１０Ａについて説明していく。
【００２５】
医療機器システム１０Ａの検出装置１２は、検出本体部２０（検出部）と、検出本体部２０に取り付けられてグルコース値を外部に送信するトランスミッタ部２２と、検出本体部２０及びトランスミッタ部２２を体表上に留置する留置部２４と、を有する。
【００２６】
検出本体部２０は、トランスミッタ部２２よりも充分に小さなセンサ側筐体２６を有する。検出本体部２０は、トランスミッタ部２２に接続し、センサ側筐体２６の患者との対向面から突出するセンサ部３０を備える。
【００２７】
センサ部３０は、検出装置１２をユーザに留置した状態で、ユーザの体内に挿入される。センサ部３０は、例えば、挿入前に図示しない挿入装置に組み込まれており、挿入装置の動作下にユーザの体表から体内に穿刺されて留置される。センサ部３０は、留置状態で、所定の測定原理に基づき、間質液中に含まれるグルコースに関わる情報を検出してトランスミッタ部２２の検出回路部２８に送る。
【００２８】
測定原理の一例としては、皮下の間質液に含まれるグルコースを測定する酵素電極法があげられる。この場合、センサ部３０は、間質液内のグルコースと酵素を反応させて生じた電子を電流量として検出する電極として構成される。検出回路部２８は、間質液中のグルコース濃度に応じた信号を検出する。測定原理は、酵素電極法に限られるものではなく、グルコース結合性蛋白質やフェニルボロン酸を用いたアフィニティセンサーとしてもよく、検出法も光学信号によるものでもよい。
【００２９】
図１及び図２に示すように、トランスミッタ部２２は、検出本体部２０を覆って、留置部２４に取り付けられるトランスミッタ側筐体３２を有する。トランスミッタ側筐体３２内には、検出回路部２８、検出回路部２８に接続されるＡ／Ｄ回路３４、外部と無線通信を行う通信モジュール３６、バッテリ３８、バッテリ３８の電力を報知装置１６Ａに供給する給電部４０、及び検出装置１２の動作を制御する制御部４２が設けられている。トランスミッタ側筐体３２は、ユーザが快適に装着できるよう、薄く且つ小さく設計される。具体的には、体表面からの高さは１ｃｍ以下、好ましくは高さが５ｍｍ未満に設定されることが好ましい。このため、トランスミッタ部２２は、生体情報の検出に必要な最低限のコンポーネントを実装するよう設計され、ディスプレイ（表示装置）やアラート部を含まない構成となっている。
【００３０】
Ａ／Ｄ回路３４は、検出回路部２８から受け取るアナログ信号をデジタル信号に変換する。
【００３１】
通信モジュール３６は、外部機器（情報処理装置１４）との間で無線通信回線を構築して、制御部４２の制御下に生体情報や機器情報を含む情報通信を行う。例えば、無線通信回線の規格としては、Ｂｌｕｅｔｏｏｔｈ（登録商標）やＺｉｇＢｅｅ（登録商標）等の無線ＰＡＮ、Ｗｉ−Ｆｉ等の無線ＬＡＮ等があげられる。
【００３２】
バッテリ３８は、例えば、充放電可能な２次電池であり、検出装置１２（検出本体部２０及びトランスミッタ部２２の各電気部品（給電部４０を含む））に電力を供給する。なお、バッテリ３８は１次電池でもよい。センサ部３０とトランスミッタ部２２とは、図示しない接続端子同士を介して電力を供給可能且つ信号を送受信可能に接続される。
【００３３】
給電部４０は、制御部４２の制御に基づき電力が供給されることで、報知装置１６Ａに無線で電力を供給する無線給電構造４４の一方を構成している。具体的には、給電部４０は、トランスミッタ側筐体３２の上部（体表と反対側）に設けられ、金属線をコイル状に配置した形状（電磁誘導用一次コイル）に形成されている（図３Ｂも参照）。バッテリ３８と給電部４０の間には直流電力を交流電力に変換する図示しない変換部が設けられ、給電部４０は、バッテリ３８の電力供給に応じた磁気（電磁誘導）を生じさせて、報知装置１６Ａにこの磁気を付与する。
【００３４】
図２に示すように、検出本体部２０は、トランスミッタ部２２と取り外し可能に接続される。検出回路部２８は、センサ部３０との接続状態で、後述の制御部４２と連動して、センサ部３０から得られるグルコース濃度に応じた信号を取得する。取得された信号は、トランスミッタ部２２のＡ／Ｄ回路３４に送られる。
【００３５】
制御部４２は、図示しないプロセッサ、メモリを有する。制御部４２は、メモリに記憶されている図示しない検出プログラムをプロセッサが読み出し及び実行することで、検出回路部２８によるグルコース濃度に応じた信号検出を制御する。例えば、制御部４２は、所定のタイミング毎にグルコース濃度に応じた信号検出を行い、検出したグルコース濃度に応じた信号をＡ／Ｄ回路３４でデジタル化してメモリに記憶し、また通信モジュール３６を制御して、デジタル化したグルコース濃度に応じた信号値を情報処理装置１４に送信する。この際、送信された信号は、情報処理装置１４内の演算部で、グルコース値に変換され、表示される。あるいは制御部４２では、Ａ／Ｄ回路３４でデジタル化された信号をノイズ処理し、グルコース値に換算する演算部（不図示）を設けることもできる。この場合、演算部で換算されたグルコース値が、通信モジュール３６を介して情報処理装置１４に送信される。
【００３６】
そして、本実施形態に係る制御部４２は、報知装置１６Ａが検出装置１２の近傍位置に配置され、且つグルコース値の異常（高血糖、低血糖）、測定時の異常、或いは情報処理装置１４との通信の異常が生じた場合に、給電部４０への電力供給を制御する。すなわち、制御部４２は、異常の発生に基づき、給電部４０の一次コイルにバッテリ３８の電力を供給して電磁誘導を起こすことで、報知装置１６Ａに電力を供給し警告音を出力させる。報知装置１６Ａによりアラートを報知する制御については後に詳述する。
【００３７】
図１に戻り、留置部２４は、検出本体部２０及びトランスミッタ部２２をまとめて生体の体表に固定する。例えば、留置部２４は、可撓性を有し、トランスミッタ側筐体３２の体表の対向面を固着する貼付用シール２４ａに構成されている。検出本体部２０は、トランスミッタ部２２と貼付用シール２４ａの固着状態でその内部に配置されることで、体表への留置状態が維持される。貼付用シール２４ａは、検出装置１２を長期間留置するために、体表に対して強力且つ持続的に粘着力を発揮するものが適用されるとよい。なお、留置部２４は、検出本体部２０及びトランスミッタ部２２を一体化して保持するフレーム（不図示）を有し、このフレームと貼付用シール２４ａが固着されてもよい。
【００３８】
一方、情報処理装置１４は、ＣＧＭ用のシステムの専用レシーバとして構成されており、その内部にはプロセッサ１４ａ、メモリ１４ｂ、入出力インタフェース（入出力Ｉ／Ｆ１４ｃ）を有するコンピュータが設けられている。なお、情報処理装置１４は、専用レシーバを適用するだけでなく、検出装置１２と情報通信可能な種々の装置を適用し得る。例えば、情報処理装置１４は、スマートフォン、ＰＤＡ、ウェアラブルコンピュータ等の携帯型情報端末、或いはラップトップコンピュータ、タブレット端末等を適用することができる。
【００３９】
情報処理装置１４の入出力Ｉ／Ｆ１４ｃには、検出装置１２と無線通信可能な通信モジュール１４ｄが接続されている。また、情報処理装置１４は、ユーザが操作するための操作部１４ｅ（ボタン等）と、グルコース値等を適宜の形式で表示する表示部１４ｆ（モニタ）とを有する。なお、操作部１４ｅはソフトキーではなく、表示部１４ｆに表示されるタッチスクリーンとしてもよい。
【００４０】
情報処理装置１４は、通常時にユーザの周囲に存在することで、検出装置１２との間で無線通信回線を構築して、検出装置１２からグルコース値を自動的に取得する。情報処理装置１４は、取得したグルコース値を記憶し、例えばユーザによる操作部１４ｅの操作下に表示部１４ｆに表示する。また、情報処理装置１４は、グルコース値の表示の他にも、グルコース値の異常（以下、グルコース値異常ともいう）、検出装置１２や情報処理装置１４の相互間の通信状態に異常（通信不良：以下、通信異常ともいう）が生じた場合に、異常の発生情報を表示（報知）する。検出装置１２は、トランスミッタ側筐体３２を薄く、小さく構成して表示装置やアラーム部を含まない構成であるため、各グルコース値異常や通信異常の発生情報は、通常時に、情報処理装置１４を介して、メッセージ表示、ブザー音、光、バイブレーション等でユーザに報知される。
【００４１】
医療機器システム１０Ａの報知装置１６Ａは、ユーザの必要（意図）に応じて検出装置１２の上部に配置される。この報知装置１６Ａは、粘着力を有する固定具としてのカバー１８により、検出装置１２と一体に覆われることで体表上に貼り付けられる。
【００４２】
報知装置１６Ａは、図３Ａに示すように、報知装置側筐体４６を有すると共に、報知装置側筐体４６の内部に、受電部４８、回路基板５０及び報知部材５２を備える。
【００４３】
報知装置側筐体４６は、内部部品を収容する薄い箱状を呈しており、またトランスミッタ部２２よりも小さく形成されている（図４Ｂも参照）。報知装置側筐体４６は、平面視で、トランスミッタ側筐体３２の上面（体表の対向面と反対側の面）の内側に収まるように配置される。トランスミッタ側筐体３２と報知装置側筐体４６は、相互の位置を位置決め固定可能な構造を有してもよい。例えば、トランスミッタ側筐体３２の上面に報知装置側筐体４６の形状に合う凹部（不図示）が形成されることで、検出装置１２の上面に報知装置１６Ａを容易に位置決めすることができる。凹部は、平面状、溝状、点状でもよく、凹部は複数設けられるのが好ましい。
【００４４】
報知装置１６Ａの受電部４８は、検出装置１２の給電部４０から無線で電力を受ける部分（無線給電構造４４の他方）である。受電部４８は、報知装置側筐体４６の一方面側（トランスミッタ部２２に対して対向する側）に設けられる。受電部４８は、図３Ｂに示すように、金属線をコイル状に配置した形状（電磁誘導用二次コイル）に形成され、トランスミッタ部２２の給電部４０の磁気に基づき電磁誘導がなされることで、電力を受電する。なお、無線給電構造４４における電力供給の方式は、電磁誘導に限定されず、共鳴方式や電界結合方式等を採用し得る。
【００４５】
図３Ａ及び図３Ｂに示すように、回路基板５０は、電子部品がプリントされており、その一方面に受電部４８がマウントされ、他方面に報知部材５２がマウントされている。回路基板５０は、薄板状の受電部４８の交流電力をそのまま報知部材５２に供給してもよいし、あるいは直流電力に変換する図示しない変換部を有し、報知部材５２に電力供給を行ってもよい。
【００４６】
報知部材５２は、所定の警告音を出力するブザーとして構成され、回路基板５０を介して電力供給がなされることで鳴動する。報知装置１６Ａを保有するユーザは、情報処理装置１４が離れている場合でも、報知装置１６Ａからの警告音を聞くことで、検出装置１２が異常検知したことを認識することができる。なお、報知装置１６Ａは、回路基板５０に制御部（不図示）を備える共に、制御部の制御下に報知部材５２が複数種類の音を出力可能な構成となっていてもよい。これにより、制御部は、検知した異常の種類に応じて音を選択してユーザに報知することができる。
【００４７】
また図１及び図４Ａに示すように、報知装置１６Ａを覆うカバー１８は、可撓性を有すると共に、検出装置１２及び報知装置１６Ａの平面形状よりも充分に大きく形成される。報知装置側筐体４６の上面は、カバー１８が貼り付けられる（固定される）被固定部４６ａとなっている。
【００４８】
カバー１８は、体表上で検出装置１２及び報知装置１６Ａをまとめて覆い、その周囲が体表に貼り付けられることで、報知装置１６Ａを検出装置１２上に位置決め保持する。このカバー１８は、例えば、透明又は半透明に形成されることで、報知装置１６Ａを覆っても外部から容易に確認可能としている。なお、カバー１８は、検出装置１２が貼り付けられる予定箇所に目印（不図示）が印字されているとよい。
【００４９】
カバー１８において検出装置１２や報知装置１６Ａに対向する面（体表対向面）には、粘着層５４が塗布されている。粘着層５４は、報知装置１６Ａと粘着される中央部分５４ａにおいて粘着力が弱く、体表に貼り付けられる予定の周辺部分５４ｂの粘着力が中央部分５４ａの粘着力よりも強くなるように設定されるとよい。これにより、報知装置１６Ａを体表上に固定する際には、報知装置１６Ａを中央部分５４ａに貼り付けた状態でその周辺部分５４ｂを体表上に強力に貼り付けることができ、報知装置１６Ａの脱落が防止されると共に、防水機能が高められる。また、報知装置１６Ａの取り外し後は、カバー１８から報知装置１６Ａを容易に外してカバー１８のみを廃棄することができる。すなわち、固定具としてのカバー１８によって、報知装置１６Ａは検出装置１２に着脱可能に取り付けられる。
【００５０】
図５に示すように、トランスミッタ部２２の制御部４２は、報知装置１６Ａの報知を制御する機能を有する。具体的には、制御部４２は、上述の検査プログラムの実行に伴い、グルコース値測定部５６、通信制御部５８、報知制御部６２を構築する。また、情報処理装置１４は、メモリ１４ｂに記憶された処理プログラムをプロセッサ１４ａが実行処理することで、報知処理部６４、通信制御部６６、異常判定部６８を構築する。
【００５１】
グルコース値測定部５６は、検出回路部２８及びセンサ部３０の駆動を制御して、間質液中のグルコース量に関わる信号を適宜のタイミングで検出し、検出した信号に基づき適宜の測定値に変換する。またグルコース値測定部５６は、測定値に測定日時を紐付けてメモリに記憶する。グルコース値を測定するタイミングは、例えば、所定期間毎に行う、ユーザの生活リズムに合わせて期間を変動する、食事から時間が空いている場合に期間を長くしユーザが食事をとる前後に期間を短くする等、適宜設計してよい。
【００５２】
トランスミッタ部２２の通信制御部５８は、グルコース値測定部５６により測定値が得られると、外部（情報処理装置１４）に送信する測定値の送信データを生成し、また通信モジュール３６を制御して情報処理装置１４に測定値を出力する。また、通信制御部５８は、情報処理装置１４との通信状態を検出して、通信異常（医療機器に関わる異常の発生情報）が発生したか否かを判定する通信判定部５８ａを有する。
【００５３】
報知制御部６２は、異常判定部６８が検出した異常の発生情報や通信制御部５８（通信判定部５８ａ）が検出した通信異常を報知する。また、報知制御部６２は、微弱なバイアス電力を給電部４０に定常的に印加しており、検出装置１２に対する報知装置１６Ａの取付状態を監視している。報知装置１６Ａの取付状態で給電部４０と受電部４８が対向すると、給電部４０のコイルに流れる電力又は磁界が変化するため、報知制御部６２は、電力又は磁界の変化を検出して報知装置１６Ａの取付状態を判断する。
【００５４】
また、報知制御部６２は、報知装置１６Ａが検出装置１２に取り付けられている場合に、通信制御部５８を介して情報処理装置１４に報知装置１６Ａの取付情報を送信する。そして、トランスミッタ部２２が情報処理装置１４からグルコース値が異常である旨の情報（グルコース値異常情報）を受信する、又は通信判定部５８ａが通信異常を判定すると、報知制御部６２は、図示しないスイッチ部を切り替えてバッテリ３８の電力を給電部４０に供給する。これにより報知装置１６Ａから警告音が出力される。
【００５５】
一方、情報処理装置１４の報知処理部６４は、検出装置１２が送信したグルコース値を適宜の形式で表示する。また報知処理部６４は、異常判定部６８がグルコース値に基づきグルコース値異常を判定するとグルコース値異常に応じたアラートを報知し、あるいは通信制御部６６が通信異常を判定すると通信異常に応じたアラートを報知する。
【００５６】
プロセッサ１４ａは、トランスミッタ部２２から報知装置１６Ａの取付情報を受信すると、例えば、取付フラグ（不図示）を立ち上げることで取付状態を認識する。これにより報知処理部６４は、取付状態を認識している間は、各異常に基づくアラートの報知を停止する。
【００５７】
通信制御部６６は、検出装置１２との通信を制御し、グルコース値を受信してメモリ１４ｂに記憶する。また、報知装置１６Ａが取付状態（取付フラグが１の状態）で異常判定部６８がグルコース値異常を判定すると、トランスミッタ部２２にグルコース値異常情報を送信する。
【００５８】
異常判定部６８は、例えば、図示しない判定閾値を有し、取得したグルコース値の異常（高血糖・低血糖）を判定する。そして、グルコース値異常を判定した場合且つ取付フラグが０の場合に、報知処理部６４によるアラートの報知を実施させ、グルコース値異常を判定した場合且つ取付フラグが１の場合に、グルコース値異常情報をトランスミッタ部２２に送る。
【００５９】
本実施形態に係る医療機器システム１０Ａは、基本的には以上のように構成されるものであり、以下その作用効果について説明する。
【００６０】
医療機器システム１０Ａは、ユーザのグルコース値を持続的に検出する際に適用され、ユーザ又は医療従事者により脇腹等のユーザの日常生活に邪魔とならない体表上に留置される。この留置時に、センサ部３０は、図示しない挿入装置によってユーザの皮下に挿入される。また留置時には、検出本体部２０、センサ部３０と一体化された留置部２４は体表上に固着され、その後、トランスミッタ部２２が装着される。または、一連の留置操作の中で、トランスミッタ部２２を装着してもよい。
【００６１】
トランスミッタ部２２は、所定の情報処理装置１４とペアリングを形成（通信を確立）することで、検出装置１２と情報処理装置１４の間でデータを送受信可能とする。そして、制御部４２は、検出回路部２８を動作させてユーザのグルコース値を検出し、検出したグルコース値の情報を情報処理装置１４に送信する。情報処理装置１４は、検出装置１２から取得したグルコース値の情報をメモリ１４ｂに記憶し、また表示部１４ｆに適宜表示する。
【００６２】
そして、ユーザがスポーツや入浴等を行う場合に、図６Ａに示す方法に沿って検出装置１２と報知装置１６Ａを連携させる。具体的に、ユーザは、まず報知装置１６Ａの被固定部４６ａをカバー１８の所定位置（粘着層５４の中央部分５４ａ）に貼り付けて、報知装置１６Ａとカバー１８を一体化させる（ステップＳ１：カバー貼付工程、図４Ａも参照）。この状態で、ユーザは、トランスミッタ側筐体３２の上部に報知装置側筐体４６が重なるように配置し、さらに報知装置１６Ａの周囲から出ているカバー１８の周辺部分５４ｂをユーザの体表に貼り付ける（ステップＳ２：報知装置固定工程、図４Ｂも参照）。カバー１８は、検出装置１２の留置部２４よりも径方向外側に広がっていることで、粘着力が強い周辺部分５４ｂを留置部２４に接することなく貼り付けることが可能である。
【００６３】
この報知装置固定工程の実施に伴い、検出装置１２の制御部４２（報知制御部６２）は、給電部４０の電流値または磁界の変化を検出する（ステップＳ３：報知装置確認工程）。これにより、トランスミッタ部２２の報知制御部６２は、情報処理装置１４に報知装置１６Ａの取付情報を送信する（ステップＳ４：取付情報送信工程）。従って、情報処理装置１４は、取付フラグを立ち上げて、グルコース値異常が生じた場合に、情報処理装置１４によるアラートの報知を停止するアラート停止待機状態となる。一方で、情報処理装置１４は、トランスミッタ部２２にグルコース値異常情報を送信可能な待機状態となる（ステップＳ５：報知切替工程）。
【００６４】
また、検出装置１２が測定した測定値（測定信号）については、情報処理装置１４に送信を継続し、情報処理装置１４（報知処理部６４）は、検出装置１２から送信された測定値を処理してグルコース値に換算する。異常判定部６８は、報知処理部６４により換算されたグルコース値と、情報処理装置１４に保持された判定閾値とを比較することで、グルコース値異常の有無を判断する（ステップＳ６：グルコース値異常監視工程）。
【００６５】
グルコース値異常を判定した場合、通信制御部６６は、取付フラグに基づき通信モジュール１４ｄを介して、検出装置１２の報知制御部６２にグルコース値異常情報を送信する。報知制御部６２は、スイッチ部を切り替えてバッテリ３８の電力を給電部４０に供給する。これにより報知装置１６Ａからアラートが出力される（ステップＳ７：異常報知工程）。この間、情報処理装置１４は、報知装置１６Ａが取り付けられても、グルコース値の情報を継続して取得し、情報処理装置１４上に表示し、情報処理装置側のメモリ１４ｂに記憶することができる。
【００６６】
また上述した各工程とは別に、ステップＳ５以降の状態で、図６Ｂに示す方法に沿って、トランスミッタ部２２の通信制御部５８（通信判定部５８ａ）は、情報処理装置１４との間の通信異常等の機器に関わる異常の発生を監視している（ステップＳ１１：通信異常監視工程）。そして、報知制御部６２は、通信制御部５８から通信異常が発生した判定を受けると、バッテリ３８の電力を給電部４０に供給して、給電部４０から受電部４８（報知装置１６Ａ）に無線給電を行う。これにより、報知装置１６Ａは、報知部材５２を鳴らして、異常の発生をユーザに報知することができる（ステップＳ１２：異常報知工程）。なお、通信異常の場合は、情報処理装置１４の通信モジュール１４ｄが通信途絶を検知すると、異常判定部６８に異常情報として伝達され、通信異常の発生情報や、データ欠損の発生がブザー音、表示、光等で報知される構成としてもよい。
【００６７】
以上のように、本実施形態に係る医療機器システム１０Ａは、以下の効果を奏する。
【００６８】
医療機器システム１０Ａは、検出装置１２、報知装置１６Ａ及びカバー１８を備えることで、必要に応じて検出装置１２の近傍位置に報知装置１６Ａを固定して、報知装置１６Ａにより報知を行うことができる。例えば、情報処理装置１４が検出装置１２から離れた位置にあっても、報知装置１６Ａは、異常が発生した場合にユーザの近くで報知を行うことで、グルコース値異常や通信異常等をユーザに認識させることが可能である。すなわち、情報処理装置１４によるアラートをユーザが確認できない状況にあっても、ユーザは、アラートに気づくことができる。特に、医療機器システム１０Ａは、カバー１８を用いることで、報知装置１６Ａを体表に簡単に固定し、また検出装置１２から分離させる（体表から剥がす）ことができる。また医療機器システム１０Ａは、通常時に報知装置１６Ａを非取付状態としているので、検出装置１２の軽量化及び長寿命化が図られ、留置状態を良好に維持して外部の情報処理装置１４に生体情報等の信号を送信することができる。これにより、通常の使用状態（留置部２４、センサ側筐体２６及びトランスミッタ側筐体３２の装着状態）では良好な装着性を実現しながら、着脱可能に報知装置１６Ａを取り付けられる構成が可能となるため、利便性が向上する。
【００６９】
医療機器システム１０Ａは、報知装置１６Ａをカバー１８に貼り付けた状態で、検出装置１２の上部に重ねられることで、体表上での設置範囲を広げることなく、報知装置１６Ａが設置される。そして検出装置１２と報知装置１６Ａの連携（情報の通信や電力の供給）をより確実に行うことができる。
【００７０】
通常時には、検出装置１２が生体情報を情報処理装置１４に送信することで、ユーザが情報処理装置１４を確認して生体情報を認識することができる。また通常時に、ユーザは、情報処理装置１４を介して異常を認識することが可能である。そして報知装置１６Ａを配置した場合には、情報処理装置１４が離れていても、報知装置１６Ａを介してユーザに異常の発生を速やかに伝えることができる。
【００７１】
医療機器システム１０Ａは、報知装置１６Ａの配置を監視していることで、検出装置１２の近傍位置に報知装置１６Ａが配置されたことを簡単に認識する。そして、報知装置１６Ａの配置に伴い情報処理装置１４が、グルコース値異常に基づくアラートの発報を停止することで、離れた位置で情報処理装置１４が鳴動することを回避することができる。
【００７２】
報知装置１６Ａは、検出装置１２のバッテリ３８から電力が供給されて報知可能となることで、報知装置１６Ａ自体の簡素化及び軽量化を図って、ユーザに簡単に携帯させることができる。
【００７３】
特に、検出装置１２及び報知装置１６Ａは、無線給電構造４４を有することで、検出装置１２と報知装置１６Ａの間に接続線を備えなくても、バッテリ３８の電力を報知装置１６Ａに容易に提供することができる。従って、報知装置１６Ａの取扱いがより簡単になる。
【００７４】
報知装置１６Ａは、報知部材５２としてのブザーを有することで、異常の発生を警告音でユーザに良好に知らせることができる。
【００７５】
上述のとおり、ユーザから得られる生体情報の異常に関する情報である場合は、ユーザにとって特に有益である。生体情報の異常に関する情報としては、例えば、間質液中のグルコース値が高すぎる場合（高血糖）、低すぎる場合（低血糖）があげられる。特に、間質液中のグルコース値が低い場合は、ユーザは低血糖状態に陥っており、危険な状態であるが、報知装置１６Ａを使用することで、迅速且つ確実に、ユーザに生体情報の異常を報知することが可能となる。
【００７６】
グルコース値の異常を判定する異常判定部６８は、情報処理装置１４に設けられる。この場合、センサ部３０が検出した生体情報に関連する信号は、通信制御部５８を介して情報処理装置１４に送信される。生体情報に関連する信号（例えば、電流値）は、情報処理装置１４内の演算部で処理され測定値（例えば、グルコース値）に換算される。異常判定部６８は、ここで換算された測定値と、予め設定した閾値とを比較することで、測定値が所定の範囲を逸脱する場合を生体情報の異常として検知する。異常検知したことに応じて、トランスミッタ部２２の通信制御部５８を通じて報知制御部６２へ異常発生情報を送信する。この異常発生情報に基づき、給電部４０による電力供給が行われることで、報知装置１６Ａが警報を発することができる。また、このとき、検出装置１２は報知装置１６Ａが配置されたことを、給電部４０側のコイルに流れる電流の変化に基づき検知できる。検出装置１２に報知装置１６Ａが配置された情報を、通信制御部５８を介して情報処理装置１４に送信する構成とすることで、情報処理装置１４からのアラート発報を自動的に停止させることができる。すなわち、報知装置１６Ａが警報発動可能状態となるのに伴い、情報処理装置１４による警報発報を停止させることができる。これにより、ユーザから離れた場所に情報処理装置１４が置かれていた場合でも、情報処理装置１４がアラート（音、バイブレータ）を発し続けることを防止できる。
【００７７】
報知装置１６Ａが、生体情報の異常に基づいた警報を発する場合、異常判定部６８において生体情報が異常と判定された場合でも、情報処理装置１４との無線通信が遮断されない限りは、トランスミッタ部２２と情報処理装置１４との間では、逐次、データ送信が行われる。このような構成とすることで、生体情報の異常を記録しながら、連続的な測定データの欠損を防止できる。
【００７８】
なお、本発明は、上述の実施形態に限定されず、発明の要旨に沿って種々の改変が可能である。次に、本発明の他の実施形態について幾つか例示する。なお、以降の説明において、上述の実施形態と同じ構成又は同じ機能を有する要素には、同じ符号を付してその詳細な説明を省略する。
【００７９】
〔第２実施形態〕
第２実施形態に係る医療機器システム１０Ｂは、図７Ａ及び図７Ｂに示すように、報知装置１６Ｂがバイブレータによる振動により報知を行う点で、第１実施形態に係る医療機器システム１０Ａと異なる。具体的には、報知装置１６Ｂは、側面断面視でＬ字状の報知装置側筐体７０を有し、その内部に報知用バッテリ７１、ＲＦＩＤリーダライタ７２（通信モジュール）、バイブレータモータ７４及び制御基板７６を有する。すなわち、この報知装置１６Ｂは、トランスミッタ部２２のバッテリ３８からの給電によらず、装置自体の報知用バッテリ７１によって内部の電気部品に電力を供給することが可能である。このように、報知装置１６Ｂ内に、報知装置１６Ｂにのみ給電する報知用バッテリ７１を更に設けると、電力消費量の大きい報知手段（ここではバイブレータ）を選択することができる。
【００８０】
ＲＦＩＤリーダライタ７２は、検出装置１２（トランスミッタ部２２）の内部に設けられたＲＦＩＤタグ７８との間で無線通信を行う。ＲＦＩＤタグ７８は、制御部４２の制御下に、ＲＦＩＤリーダライタ７２に異常の発生情報を送信する。またＲＦＩＤタグ７８は、トランスミッタ部２２の上部に設けられ、ＲＦＩＤリーダライタ７２の電磁波を検知可能に構成されている。従って、制御部４２は、ＲＦＩＤタグ７８の電磁波の監視に基づき、報知装置１６Ｂの取り付けを確認することができる。
【００８１】
報知装置１６Ｂに設けられるバイブレータモータ７４は、公知のものを適用することができ、報知用バッテリ７１からの電力供給に基づき回転することで報知装置１６Ｂ全体を振動させる。バイブレータモータ７４の振動は、検出装置１２を介して生体の体表に伝達される。
【００８２】
制御基板７６には、図示しないマイコンを有する電子制御回路７６ａが形成されている。そして、制御基板７６は、体表との対向面にＲＦＩＤリーダライタ７２を、その反対面に報知用バッテリ７１を有する。また、電子制御回路７６ａは、バイブレータモータ７４に接続され、電子制御回路７６ａのマイコンは、報知用バッテリ７１の電力の供給または供給停止を切り替えることが可能である。
【００８３】
第２実施形態に係る医療機器システム１０Ｂは、基本的には、以上のように構成される。この医療機器システム１０Ｂは、第１実施形態と同様に、ユーザが報知装置１６Ｂをカバー１８の所定位置に貼り付けた後、ユーザにより検出装置１２の上部及び側部に位置決めされて、カバー１８と共に体表に貼り付けられる。この状態で、報知装置１６ＢのＲＦＩＤリーダライタ７２が検出装置１２のＲＦＩＤタグ７８から情報を読み取ることが可能となる。そして、報知装置１６Ｂの制御基板７６は、検出装置１２の制御部４２が異常の発生情報をＲＦＩＤタグ７８から送信することで、バイブレータモータ７４を回転駆動させる。
【００８４】
従って、この医療機器システム１０Ｂでも、第１実施形態に係る医療機器システム１０Ａと同様の効果を得ることができる。特に、報知装置１６Ｂは、バイブレータモータ７４を有することで、異常の発生を振動でユーザに良好に知らせ、しかも音が響いて周囲の人に聞かれることを抑制することができる。
【００８５】
〔第３実施形態〕
第３実施形態に係る医療機器システム１０Ｃは、図８Ａ及び図８Ｂに示すように、報知装置１６Ｃが異常等を表示するモニタ８０を有する点で、第１及び第２実施形態に係る医療機器システム１０Ａ、１０Ｂと異なる。具体的には、報知装置１６Ｃは、上記のモニタ８０と、モニタ８０がマウントされ該モニタ８０の表示を制御する制御基板８２と、制御基板８２に接続されると共に報知装置側筐体８４から延出する接続線８６と、を有する。モニタ８０は、液晶ディスプレイ、有機ＥＬ等の公知のものを適用し得る。また、報知装置側筐体８４は、平面視で、検出装置１２よりも大きく形成され、モニタ８０の大型化を実現している。
【００８６】
制御基板８２には、図示しないマイコンを有する電子制御回路８２ａが形成されている。制御基板８２は、トランスミッタ部２２から送信される情報を表示することが可能であり、例えば、検出装置１２が検出したグルコース値の情報を受信して、モニタ８０にグルコース値を表示する。また、検出装置１２から異常の発生情報を受信すると、モニタ８０に異常の発生をメッセージやアイコン等で表示させる。カバー１８とモニタ８０とが接する部分の少なくとも一部、あるいはカバー１８全体は、透明である。これにより、ユーザは、カバー１８の上からモニタ８０の表示内容を確認することができる。
【００８７】
接続線８６は、その自由端部に報知装置側コネクタ８６ａを備え、報知装置側コネクタ８６ａは、検出装置１２に設けられた有線接続用コネクタ８８に接続される。すなわち、報知装置１６Ｃの電力は、トランスミッタ部２２のバッテリ３８から、有線接続用コネクタ８８、接続線８６を介して供給される。従って、報知装置１６Ｃは、バッテリ３８を備える必要がなく、軽量化が図られる。また、検出装置１２のグルコース値の情報や異常の発生情報も、有線接続用コネクタ８８、接続線８６を介して制御基板８２に伝達される。このため報知装置１６Ｃはより確実に情報を得ることが可能である。
【００８８】
以上のように、第３実施形態に係る医療機器システム１０Ｃでも、第１及び第２実施形態に係る医療機器システム１０Ａ、１０Ｂと同様の効果を得ることができる。特に、報知装置１６Ｃがモニタ８０を有することで、報知装置１６Ｃは異常の発生をモニタ表示によりユーザに良好に知らせることができると共に、検出装置１２が測定したグルコース値等のより多様な情報を報知することが可能となる。
【００８９】
〔第４実施形態〕
第４実施形態に係る医療機器システム１０Ｄは、図９Ａに示すように、検出装置１２をカバー９０で覆い、このカバー９０の上部に防水機能を有する報知装置１６Ａを取り付け可能としている。例えば、カバー９０は、体表と対向予定の全面に粘着層５４を有すると共に、その反対面の一部（中央部分）に粘着層９２を有し、報知装置１６Ａを貼り付け可能としている。従って、報知装置１６Ａは、報知装置側筐体４６の下面が被固定部４６ａとなる。このように報知装置１６Ａをカバー９０の外側に貼り付けても、無線通信や無線給電により報知装置１６Ａの動作を実施させることができ、検出装置１２の異常を良好に報知することが可能となる。
【００９０】
〔第５実施形態〕
第５実施形態に係る医療機器システム１０Ｅは、図９Ｂに示すように、カバー９４が報知装置１６Ａを覆う硬質カバー９４ａと、硬質カバー９４ａの周囲に固着され硬質カバー９４ａよりも柔軟な軟質カバー９４ｂと、を有している。硬質カバー９４ａは、可撓性を有しておらず、且つ粘着層５４が塗布されていない容器に相当し、報知装置１６Ａを収容することが可能である。軟質カバー９４ｂは、体表と対向予定の面に粘着層５４を有し、内側の一部が硬質カバー９４ａのフランジに貼り付けられると共に、外側の他部が体表に貼り付けられる。これにより、報知装置１６Ａとカバー９４の貼付がなくなるので、カバー９４から報知装置１６Ａの取り外しが容易となり、報知装置１６Ａをより良好に再利用することができる。
【００９１】
なお、上述した各実施形態に係る医療機器システム１０Ａ〜１０Ｅは、一部の構成を取り出して他の実施形態に適用してよいことは勿論である。例えば、報知装置１６Ａ〜１６Ｃは、報知部材５２として、ブザー、バイブレータモータ７４、モニタ８０のうち１種類の構成を備えるだけでなく、複数種類の構成を備えることが可能である。また、医療機器システム１０Ａ〜１０Ｅが取り扱う医療機器は、生体情報（グルコース値）を検出する検出装置１２に限定されるものではない。
【００９２】
また、各実施形態に係る医療機器システム１０Ａ〜１０Ｅは、医療機器または生体情報に関わる異常状態が解消され、通常の状態に回復したことを異常判定部６８が検知することで、報知装置１６Ａ〜１６Ｃによる報知を停止するようにしてもよい。また、報知装置１６Ａ〜１６Ｃをユーザの指先で、２、３回、軽く叩く（タップする）ことで、報知を一旦停止させることも可能である。
【符号の説明】
【００９３】
１０Ａ〜１０Ｅ…医療機器システム        １２…検出装置
１４…情報処理装置                      １６Ａ〜１６Ｃ…報知装置
１８…カバー                            ２０…検出本体部
２２…トランスミッタ部                  ４０…給電部
４２…制御部                            ４４…無線給電構造
４８…受電部                            ５２…報知部材
７４…バイブレータモータ                ８０…モニタ
【図１】
2019154711.tif 000003
【図２】
2019154711.tif 000004
【図３】
2019154711.tif 000005
【図４】
2019154711.tif 000006
【図５】
2019154711.tif 000007
【図６】
2019154711.tif 000008
【図７】
2019154711.tif 000009
【図８】
2019154711.tif 000010
【図９】
2019154711.tif 000011